(57)【要約】【課題】床面の孔と立ち上がり部の位置がズレていても接続でき、且つ、逆勾配にもならない排水設備の配管接続構造を提供する。【解決手段】床下の配管設置面９に固定された床下排水管１の上流側端部に、少なくとも一部が水平方向に湾曲自在な可動部２０と、床上排水管１と接続する立ち上がり部２１からなる位置調整用の排水管２を接続した排水設備の配管接続構造であって、位置調整用の排水管２の可動部２０又は／及び立ち上がり部２１が、配管設置面９に固定されていない支持台６によって支持された構成とする。可動部２０を湾曲させることで、立ち上がり部２１が略円周方向及び縮み方向に移動するので、位置がズレていても床上排水管１と接続できる。可動部２０が配管設置面９に固定されていない支持台６に支持されており、流れ勾配を固定した状態で床上排水管１と接続できるので、逆勾配になることがない。【選択図】図１
2010229633.tif 000002
【特許請求の範囲】
【請求項１】
床下の配管設置面に固定された床下排水管の上流側端部に、少なくとも一部が水平方向に湾曲自在又は屈曲自在な可動部と、床上排水管と接続する立ち上がり部からなる位置調整用の排水管を接続した排水設備の配管接続構造であって、
上記位置調整用の排水管の可動部又は／及び立ち上がり部が、配管設置面に固定されていない支持台によって支持されていることを特徴とする排水設備の配管接続構造。
【請求項２】
上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続したことを特徴とする請求項１に記載の排水設備の配管接続構造。
【請求項３】
上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続すると共に、床下排水管と床下排水管側に形成された湾曲自在又は屈曲自在な可動部を屈曲させて接続したことを特徴とする請求項１に記載の排水設備の配管接続構造。
【請求項４】
上記立ち上がり部が、床下排水管の略延長線上に位置することを特徴とする請求項１又は請求項３に記載の排水設備の配管接続構造。
【請求項５】
上記位置調整用の排水管の可動部を湾曲又は屈曲させても、その流れ勾配が変化しない水平板の上に上記支持台を載置したことを特徴とする請求項１ないし請求項４のいずれかに記載の排水設備の配管接続構造。
【請求項６】
上記位置調整用の排水管の湾曲自在な可動部が可撓管であり、上記屈曲自在な可動部が直管と自在継手からなるものであり、上記立ち上がり部がエルボ継手であって、それぞれが別体に形成されていることを特徴とする請求項１ないし請求項５のいずれかに記載の排水設備の配管接続構造。
【請求項７】
床下の配管設置面に床下排水管を固定して、その固定された床下排水管の上流側端部に、少なくとも一部が水平方向に湾曲自在又は屈曲自在な可動部と、床上排水管と接続する立ち上がり部からなる位置調整用の排水管を接続し、上記位置調整用の排水管の立ち上がり部から可動部までの間の少なくとも１箇所を、配管設置面に固定されていない支持台によって支持することで流れ勾配を決定して、床面を施工すると共にその床面に孔を穿孔し、床上から床上排水管を該孔に挿入して立ち上がり部と接続することで、床上排水管と床下排水管を連結することを特徴とする排水設備の配管接続方法。
【発明の詳細な説明】
【技術分野】
【０００１】
本発明は、住宅の床下に配設された床下排水管と、厨房機器、衛生機器などに接続される床上排水管とを連結する排水設備の配管接続構造並びに配管接続方法に関するものである。
【背景技術】
【０００２】
従来、床下に配設された排水管と、厨房機器、衛生機器などに接続される床上排水管との接続は、床下に排水管を配設してから床面を施工するため、床面施工後に点検口等から床下に潜り込んで床下排水管を床面に穿孔された貫通部より床上に押し上げる作業員１人と、その床上に押し上げられた床下排水管を床上排水管と接続する作業員１人が必要であった。床下は視界が悪く作業スペースの確保が困難であり、また、主として２人の作業員が必要なため、多大な手間と労力が必要であった。
【０００３】
このような問題に対処するため、本出願人は、床下に配設された排水管の上流側端部に湾曲自在な可撓管を接続すると共に可撓管の上流側端部に引上げ管を接続し、引上げ管の上端に被係合体を仮止め部材で仮止めしたのち床面を施工し、床面に穿孔された孔より係合具を上記被係合体に係合させて引上げ管を床上に引き上げて、仮止め部材及び被係合体を引上げ管から取り外すと共に固定具によって引上げ管を床面に固定し、引上げ管と床上排水管を接続する排水設備の配管工法を提案した（特許文献１）。
【０００４】
上記排水設備の配管工法は、床面を施工する前に床下排水管、可撓管、引上げ管を接続するので、広いスペースを確保しながら容易に作業でき、床面施工後も、引上げ管に仮止めされた被係合体に係合具を係合させて引き上げるだけなので、１人で簡単に接続作業を行うことができた。しかも、床面に穿孔された孔と引上げ管の位置が多少ズレていたとしても、床下排水管と引上げ管の間に湾曲自在な可撓管を介在させているので、その可撓管が位置ズレを調整して、床下排水管と床上排水管とを連結することができる優れたものであった。
【０００５】
また、上記特許文献１と同様に、作業員１人で床下排水管と床上排水管とを接続できる構造として、床下に敷設されて少なくとも一部が曲がる配管と、床に穿孔された貫通孔と、床上に敷設される設備管とを備え、配管が床上側から貫通孔を通して床上に引き上げられて設備管と床上で接続される配管構造なども提案されている（特許文献２）。
【先行技術文献】
【特許文献】
【０００６】
【特許文献１】特開２００７−１４６６０２号公報
【特許文献２】特開２００７−２１８０３２号公報
【発明の概要】
【発明が解決しようとする課題】
【０００７】
しかしながら、上記特許文献１の排水設備の配管工法、及び、上記特許文献２の配管構造は、可撓管（一部が曲がる配管）の長さと床面に穿孔された孔の位置関係によって、引上げ管を引き上げて床上排水管と接続してからの可撓管の流れ勾配が変化してしまうので可撓管の流れ勾配が一定せず、可撓管の長さと床面に穿孔された孔の位置関係（可撓管が長い場合など）によっては可撓管が撓んで逆勾配となってしまう恐れがあった。
【０００８】
本発明は上記の問題に鑑みてなされたもので、その解決しようとする課題は、床面に穿孔された孔と、床上排水管と接続する立ち上がり部の位置が多少ズレていても位置ズレを調整することができて、且つ、逆勾配にもならずに、作業員１人で施工可能な排水設備の配管接続構造を提供することにある。
【課題を解決するための手段】
【０００９】
上記目的を達成するため、本発明に係る排水設備の配管接続構造は、床下の配管設置面に固定された床下排水管の上流側端部に、少なくとも一部が水平方向に湾曲自在又は屈曲自在な可動部と、床上排水管と接続する立ち上がり部からなる位置調整用の排水管を接続した排水設備の配管接続構造であって、上記位置調整用の排水管の可動部又は／及び立ち上がり部が、配管設置面に固定されていない支持台によって支持されていることを特徴とするものである。
【００１０】
本発明の排水設備の配管接続構造においては、上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続したり、上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続すると共に、床下排水管と床下排水管側に形成された湾曲自在又は屈曲自在な可動部を屈曲させて接続することが好ましい。また、上記立ち上がり部が、床下排水管の略延長線上に位置することが好ましく、上記位置調整用の排水管の可動部を湾曲又は屈曲させても、その流れ勾配が変化しない水平板の上に上記支持台を載置したことがより好ましい。更に、上記位置調整用の排水管の湾曲自在な可動部が可撓管であり、上記屈曲自在な可動部が直管と自在継手からなるものであり、上記立ち上がり部がエルボ継手であって、それぞれが別体に形成されていることが好ましい。
【００１１】
次に、本発明の排水設備の配管接続方法は、床下の配管設置面に床下排水管を固定して、その固定された床下排水管の上流側端部に、少なくとも一部が水平方向に湾曲自在又は屈曲自在な可動部と、床上排水管と接続する立ち上がり部からなる位置調整用の排水管を接続し、上記位置調整用の排水管の立ち上がり部から可動部までの間の少なくとも１箇所を、配管設置面に固定されていない支持台によって支持することで流れ勾配を決定して、床面を施工すると共にその床面に孔を穿孔し、床上から床上排水管を該孔に挿入して立ち上がり部と接続することで、床上排水管と床下排水管を連結することを特徴とするものである。
【発明の効果】
【００１２】
本発明の排水設備の配管接続構造は、配管設置面に固定された床下排水管に、水平方向に湾曲自在又は屈曲自在な可動部を有する位置調整用の排水管が接続されている。従って、位置調整用の排水管の可動部が湾曲自在な場合は、可動部を湾曲させることで、床上排水管と接続する立ち上がり部を略円周方向及び縮み方向に移動させることができ、また、可動部が屈曲自在な場合は、可動部を屈曲させることで、立ち上がり部を円周方向に移動させることができるので、床面に穿孔された孔と床上排水管と接続される立ち上がり部の位置が多少ズレてしまっていても位置調整して、床面に穿孔された孔の真下に、床上排水管と接続するための立ち上がり部を位置させることができる。このように、位置調整用の排水管を水平方向に移動させて床上排水管と接続される立ち上がり部の位置を調整し、しかも、このとき、位置調整用の排水管の可動部又は／及び立ち上がり部は、配管設置面に固定されていない支持台によって支持されて、流れ勾配を固定した状態で床上排水管との接続作業を行えるので、上記特許文献１や特許文献２のように、可撓管と床面に穿孔された孔の位置関係によって流れ勾配が変化することがなく、逆勾配になってしまうことがない。また、本発明の排水設備の配管接続構造は、床面を施工した後に、広い作業スペースを確保できる床上から作業員１人で床上排水管と床下排水管を連結することができるので、従来のように、床面施工後に床下に潜り込んで作業する作業員１人が不要となり、手間、コスト、労力及び危険性を大幅に軽減することができる。
【００１３】
また、上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続した排水設備の配管接続構造は、位置調整用の排水管を初期状態から屈曲させることで、その屈曲した位置調整用の排水管を直線に近づけると、上記のように円周方向又は略円周方向及び縮み方向のみだけではなく、伸び方向にも立ち上がり部の位置が調整できるようになって、より調整の幅が広がる。
尚、ここで伸び方向に調整するとは、床下排水管の上流側端部と立ち上がり部までを直線で結んだ距離を長くすることをいう。
【００１４】
更に、上記位置調整用の排水管の床下排水管側に湾曲自在又は屈曲自在な可動部を形成すると共に、床上排水管側に湾曲自在又は屈曲自在な可動部を形成し、それら２つの可動部を屈曲させて接続すると共に、床下排水管と床下排水管側に形成された湾曲自在又は屈曲自在な可動部を屈曲させて接続した排水設備の配管接続構造は、２箇所を屈曲させて接続することで、より伸び方向の調整幅を広げることができる。
【００１５】
また、上記立ち上がり部が、床下排水管の略延長線上に位置する排水設備の配管接続構造は、床面に床上排水管を挿通するための孔を穿孔するときの目安ができるので、施工性が向上する。
【００１６】
更に、上記位置調整用の排水管の可動部を湾曲又は屈曲させても、その流れ勾配が変化しない水平板の上に上記支持台を載置した排水設備の配管接続構造は、配管設置面は凸凹がある場合が多いので、このような水平板の上に支持台を載置することで、支持台をスライドさせてもの流れ勾配が変化することがなく、一度決定した流れ勾配を確実に維持することができる。
【００１７】
上記位置調整用の排水管の湾曲自在な可動部が可撓管であり、上記屈曲自在な可動部が直管と自在継手からなるものであり、上記立ち上がり部がエルボ継手であって、それぞれが別体に形成されている排水設備の配管接続構造は、可撓管で湾曲自在な可動部を形成することで、簡単に任意の角度に湾曲させることができる。また、直管を自在継手に接続して屈曲自在な可動部を形成することで、簡単に任意の角度に屈曲させることができるようになる。しかも、それぞれを別体とすることで位置調整用の排水管の成形コストを抑えることもできる。
【００１８】
次に、本発明の排水設備の配管接続方法は、位置調整用の排水管を、略円周方向又は円周方向に移動させることで、床面に穿孔された孔と床上排水管と接続する立ち上がり部の位置が多少ズレていても、位置ズレを調整して接続することができる。この際、予め位置調整用の排水管を配管設置面に固定されていない支持台に支持させて流れ勾配を決定してから位置調整を行うので、逆勾配になってしまうことがない。以上のような作業は、床面を施工した後、孔を穿孔して、位置調整用の排水管の立ち上がり部を、床面に穿孔された孔の真下に位置させて、立ち上がり部に床上排水管を接続するだけなので、床上から作業員１人で行うことができて、手間、コスト、労力及び危険性を大幅に軽減することができる。
【図面の簡単な説明】
【００１９】
【図１】本発明の一実施形態に係る排水設備の配管接続構造を示す斜視図である。
【図２】同配管接続構造の平面図である。
【図３】同配管接続構造の正面図である。
【図４】同配管接続構造に用いる床上排水管接続用継手の分解断面図である。
【図５】本発明の他の実施形態に係る排水設備の配管接続構造を示す平面図である。
【図６】同配管接続構造に用いる自在継手の分解断面図である。
【図７】本発明の更に他の実施形態に係る排水設備の配管接続構造を示すものであって、縦管と床上排水管接続用継手を省いた平面図である。
【図８】本発明の更に他の実施形態に係る排水設備の配管接続構造を示すものであって、縦管と床上排水管接続用継手を省いた平面図である。
【図９】同配管接続構造に用いる屈曲自在継手の正面図である。
【図１０】本発明の更に他の実施形態に係る排水設備の配管接続構造を示すものであって、縦管と床上排水管接続用継手を省いた平面図である。
【発明を実施するための最良の形態】
【００２０】
以下、図面を参照して本発明の具体的な実施形態を詳述する。
【実施例１】
【００２１】
図１に示す本発明の排水設備の配管接続構造は、住宅の床面１０の下に配設された床下排水管１と、厨房機器、衛生機器（不図示）などに接続される床上排水管３とを連結するために、床下排水管１の上流側端部に、位置調整用の排水管２を接続したものである。この床下排水管１は塩化ビニル樹脂製のＶＵ管で、床下の配管設置面９に固定された固定支持台８によって適正な流れ勾配（１／１００〜３／１００程度）を付与された状態で固定されており、屋外の排水管（不図示）へ連結されている。また、床上排水管３も床下排水管１と同様の塩化ビニル樹脂製のＶＵ管であって、その上流側端部は、厨房機器、衛生機器などに接続されている。
【００２２】
上記床下排水管１に接続される位置調整用の排水管２は、図２、図３に示すように、水平方向に湾曲自在な可動部２０と、その可動部２０の上流側端部に接続される立ち上がり部２１の２つの部材を備えたもので、湾曲自在な可動部２０として、本実施形態では可撓管が用いられている。この可撓管２０はプラスチックのコルゲート二層管であって、湾曲し易いように外周面が蛇腹に形成され、排水がスムーズに流れるように内周面がフラットに形成されている。材料のプラスチックとしては、ポリエチレンやポリプロピレン等のポリオレフィンが好適に用いられる。
尚、湾曲自在な可動部２０として用いられる可撓管２０の可撓性が大きいと位置調整が容易となるが、可撓性が大きすぎると撓みやすく、部分的に逆勾配となってしまう恐れが生じるので、一旦湾曲させても元の形に復元する程度の可撓性のものが好ましい。具体的には、床下排水管１を軸として、その左右に５〜３０°程度湾曲する可撓性のものが好ましい。また、可撓管２０の長さが長すぎても、自重で撓みやすく逆勾配になってしまう恐れが生じるので、長さは２００ｃｍ程度までのものが好ましい。
【００２３】
上記湾曲自在な可動部２０（可撓管）と共に位置調整用の排水管２を構成する立ち上がり部２１は、図２、図３に示すように、９０°エルボ継手であって、その下流側には上記可撓管２０の上流側端部を挿入する下流側接続口２１ａが形成されており、その上流側には後述する縦管４を挿入する上流側接続口２１ｂが形成されている。この９０°エルボ継手２１は、９０°エルボ継手２１の上流側接続口２１ｂが、平面視して床下排水管１の延長線上に位置するように可撓管２０に接続されており、このように床下排水管１の延長線上に９０°エルボ継手２１を位置させることで、床面１０を施工したのち、床上排水管３を挿通するための孔１０ａを穿孔するときの目安ができて、床面１０の穿孔作業がやり易くなる。
尚、この９０°エルボ継手２１の上流側接続口２１ｂに、直接床上排水管３を接続してもよいが、そのようにすると床面１０から９０°エルボ継手２１までの距離が遠くなってしまい施工性が良くない。即ち、９０°エルボ継手２１の上流側接続口２１ｂの内周面に均等に接着剤を塗布することは困難であり、床上排水管３の下流側端部の外周面にのみ接着剤を塗布して接着することになるため、接着箇所の接着強度や水密性に不安が残る。従って、本実施形態では施工性を向上させるために、後述する縦管４と床上排水管接続用継手５を介して、９０°エルボ継手２１と床上排水管３が連結されている。
【００２４】
以上のような可撓管２０と９０°エルボ継手２１から構成された位置調整用の排水管２は、図１、図２、図３に示すように、配管設置面９に固定されていない２つの支持台６，６によって適正な流れ勾配（１／１００〜３／１００）がつけられて支持されている。この支持台６は、上記位置調整用の排水管２の可撓管２０を上下から挟持する２つの半環状の保持部６ａ，６ａと、該保持部６ａ，６ａで挟持した可撓管２０を支持する支持棒６ｂ，６ｂと、外力（可撓管２０を湾曲させた場合など）を受けても支持台６が倒れないようにすると共に、次に説明する水平板７の上を水平方向にスライドする基台部６ｃからなるもので、支持棒６ｂ，６ｂに半環状の保持部６ａ，６ａを挿通し、上下からナット６ｄ，６ｄを螺合して締め込むことで半環状の保持部６ａ，６ａが一体化されて、可撓管２０を強固に挟持する。この支持台６の基台部６ｃには、位置調整のために可撓管２０を水平方向にスライドさせても支持台６が倒れない程度の面積と重量が必要なため、一辺が１５〜５０ｃｍの面積が２２５〜２５００ｃｍ２程度となるように形成されている。
尚、本実施形態では、位置調整用の排水管２の可撓管２０を支持台６で支持しているが、立ち上がり部２１（９０°エルボ継手）の下流側接続口２１ａを支持してもよい。また、位置調整用の排水管２の長さが短い場合などは１つの支持台６によって流れ勾配を決定すると共に位置調整用の排水管２を支持しても構わない。
【００２５】
上記構成の支持台６は、図２、図３に示すように、水平板７の上に載置されている。この水平板７は、上記位置調整用の排水管２の可撓管２０を湾曲させても、位置調整用の排水管２の流れ勾配が変化しないようにするための平板で、水平板７の上面が水平となるように調整されている。通常、配管設置面９は凸凹であったり水平でない場合が多いので、このような水平板７の上に上記支持台６，６を載置することで、支持台６をスライドさせても位置調整用の排水管２の流れ勾配が変化することがなく、一度決定した流れ勾配を確実に維持しながら位置調整をすることができるようになる。
【００２６】
図３に示すように、その下流側端部が上記９０°エルボ継手２１の上流側接続口２１ｂに接続されて、上流側端部が床上排水管接続用継手５の下側部材５Ｂに接続される縦管４は、上記床下排水管１や床上排水管３と同じく塩化ビニル樹脂製のＶＵ管で、９０°エルボ継手の上流側接続口２１ｂの内径とその外径が等しくなるように形成されている。この縦管４は、次に説明する床上排水管接続用継手５をその上流側端部に接続した際、床上排水管接続用継手５が床面１０に穿孔された孔１０ａの位置に近くなるように、床面１０との高さ調整のために用いられる。
【００２７】
また、上記縦管４の上流側端部に接続される床上排水管接続用継手５は、図４に示すように、上側部材５Ａと下側部材５Ｂからなるもので、上側部材５Ａの外周には、床上排水管３を差し込んで接着接続するための断面が略Ｌ字形の環状の受部５０ａが突設されており、更にその受部５０ａの外周面には、雄ネジ５１ａが形成されている。床上排水管３と上側部材５Ａは、床上排水管３の下端部の内周面と上側部材５Ａの受部５０ａより上流側の外周面に接着剤を塗布したのち、受部５０ａに床上排水管３を差し込むことによって接続される。
【００２８】
一方、下側部材５Ｂの内周面には、上記上側部材５Ａの受部５０ａに形成された雄ネジ５１ａに対応する雌ネジ５０ｂが形成されており、上記雄ネジ５１ａを雌ネジ５０ｂに螺合することで上記上側部材５Ａと下側部材５Ｂが一体化されるようになっている。また、その内周面には水密性を向上させるための防水パッキン５１ｂが嵌着されており、雄ネジ５１ａと雌ネジ５０ｂを螺合するだけで上側部材５Ａと下側部材５Ｂが水密的に一体化できるので施工性がよい。
【００２９】
以上のような部材から構成される本発明の排水設備の配管接続構造は、床面１０を施工し、床上排水管３を挿通する孔１０ａを穿孔した際に、その孔１０ａから９０°エルボ継手２１の上流側接続口２１ｂがズレていて床上排水管３を接続できない場合でも、床下排水管１に水平方向に可撓管２０が接続されているので、その可撓管２０を湾曲させることで、９０°エルボ継手２１を略円周方向及び縮み方向に移動させて、孔１０ａの真下に９０°エルボ継手２１の上流側接続口２１ｂを位置させて接続することができる。しかも、可撓管２０は配管設置面９に固定されていない支持台６によって適正な流れ勾配を付与されて支持されているので、可撓管２０を水平方向にスライドさせても流れ勾配が変化することがなく、逆勾配になってしまうことがない。また、上記のような位置調整作業は、広い作業スペースを確保できる床上から作業員１人で行えるので、従来と比べると、手間、コスト、労力及び危険性を大幅に軽減することができる。
【００３０】
次に、上記排水設備の配管接続構造の配管接続方法を説明する。
【００３１】
まず、住宅の床面１０を施工する前の配管設置面９に、床下排水管１を固定支持台８によって適正な流れ勾配（１／１００〜３／１００）を付与しながら固定する。そして、配管設置面９に水平板７を敷設したのち、固定された床下排水管１の上流側端部に、前述した可撓管２０を接続すると共に、その可撓管２０の上流側１箇所と下流側１箇所の計２箇所を、配管設置面９に固定されていない支持台６，６によって適正な流れ勾配（１／１００〜３／１００）を付与して支持させる。
尚、本実施形態では、位置調整用の排水管２の可撓管２０を支持台６によって支持しているが、前述したように、９０°エルボ継手２１の下流側接続口２１ａを支持しても構わない。また、位置調整用の排水管２の上流側１箇所と下流側の１箇所を支持しているが、上流側の１箇所のみを支持させても構わない。
【００３２】
次に、上記のように、支持台６によって支持された可撓管２０の上流側端部に、９０°エルボ継手２１の下流側接続口２１ａを接続する。このとき、９０°エルボ継手２１の上流側接続口２１ｂが、床下排水管１の延長線上に位置するように調整しておく。このように床下排水管１の延長線上に位置させることで、前述したように、床面１０に床上排水管３を挿通するための孔１０ａを穿孔するときの目安となり、床面１０の穿孔作業がやり易くなる。そして、９０°エルボ継手２１の上流側接続口２１ｂに縦管４を挿入して接続すると共に、その縦管４の上流側端部に床上排水管接続用継手５の下側部材５Ｂを接続する。
【００３３】
以上のように床上排水管接続用継手５の下側部材５Ｂまでの接続作業が終わると、次に床面１０を施工する。そして、その床面１０に床上排水管３を挿通する孔１０ａを穿孔し、床上排水管３を床上排水管接続用継手５の下側部材５Ｂに接続する。このとき、床上排水管３の下端に、予め床上排水管接続用継手５の上側部材５Ａを接着接続しておき、床上から床上排水管３を時計回りに回転させて、下側部材５Ｂの雌ネジ５０ｂに上側部材５Ａの雄ネジ５１ａを螺合することで、上側部材５Ａと下側部材５Ｂが一体化されると共に、下側部材５Ｂの内周面に嵌着されている防水パッキン５１ｂによって水密的に一体化されるようになっている。このようにすることで、床上排水管３が斜めに接続されるのを防止できると共に、接着剤が不要となって施工性が向上する。
尚、床上排水管３を９０°エルボ継手２１の上流側接続口２１ｂに直接接続してもよいが、そのようにすると床面１０から９０°エルボ継手２１までの距離が遠くなってしまい施工性があまり良くない。従って、本実施形態のように、縦管４と床上排水管接続用継手５を介して、９０°エルボ継手２１と床上排水管３を接続するほうが好ましい。
【００３４】
また、このとき、床面１０に穿孔された孔１０ａの真下に床上排水管接続用継手５の下側部材５Ｂが位置していない場合は、床上から下側部材５Ｂを孔１０ａの真下に位置するように調整する。前述したように、本発明の排水設備の配管接続構造は、可撓管２０が水平方向に湾曲自在であるため、その可撓管２０に接続された下側部材５Ｂも水平方向及び縮み方向に調整することができて、多少の位置ズレは簡単に修正することができる。
【００３５】
以上のような手順で、床下排水管１と床上排水管３は、可撓管２０、９０°エルボ継手２１、縦管４、床上排水管接続用継手５を介して連結されている。
【００３６】
上記のような方法で床下排水管１と床上排水管３を連結すると、床上から作業員１人で行うことができるので、手間、コスト、労力及び危険性を大幅に軽減することができる。しかも、床面１０に穿孔された孔１０ａと下側部材５Ｂの位置が多少ズレていても、可撓管２０を水平方向に湾曲させることで、位置ズレを簡単に調整することができ、また、可撓管２０は、配管設置面９に固定されていない支持台６に支持されているので、逆勾配になってしまうことがない。
【実施例２】
【００３７】
図５は本発明の他の実施形態に係る排水設備の配管接続構造を示す平面図、図６は同配管接続構造に用いる自在継手の断面図である。
【００３８】
前述した図１〜図４に示す実施形態の配管接続構造が、床下排水管１に、湾曲自在な可動部２０（可撓管）と立ち上がり部２１（９０°エルボ継手）からなる位置調整用の排水管２を接続したものであるのに対して、本実施形態の排水設備の配管接続構造は、図５に示すように、床下排水管１に、屈曲自在な可動部２２と立ち上がり部２１からなる位置調整用の排水管２Ａを接続したものである。
【００３９】
上記位置調整用の排水管２Ａの屈曲自在な可動部２２は、図５に示すように、直管２２Ａと自在継手２２Ｂから構成されるもので、この直管２２Ａとして、前述した床下排水管１や床上排水管３や縦管４と同様の塩化ビニル樹脂製のＶＵ管が用いられる。
【００４０】
また、自在継手２２Ｂは、図５、図６に示すように、上記直管２２Ａの下流側端部が接続される第一の回動部２３と、その第一の回動部２３を内部に収容すると共に、床下排水管１の上流側端部が接続される第二の回動部２４からなるもので、第一の回動部２３は外面が球面であるため、第二の回動部２４の内周面を自在に回動することができるようになっている。この第一の回動部２３の内部には、水密性を向上させるための防水パッキン２３ａが嵌着されており、外周面にも水密性を向上させるための防水パッキン２３ｂが嵌合されている。この防水パッキン２３ａ，２３ｂとして油含有ゴムが好適に用いられる。
【００４１】
一方、第二の回動部２４は、図６に示すように、上記第一の回動部２３を内部に収容する湾曲筒部２４ａと、円筒体２４ｂと、床下排水管１の上流側端部が接続されるソケット口２４ｃが一体成形されたもので、本実施形態では、この第二の回動部２４は固定支持台８によって固定された床下排水管１の上流側端部に接続されているために回動しないが、上記第一の回動部２３が第二の回動部２４の内周面を自在に回動するようになっている。
【００４２】
上記構成の自在継手２２Ｂは、第一の回動部２３に接続された直管２２Ａが第二の回動部２４の上流側端部に当接するまで直管２２Ａを屈曲させることが可能で、本実施形態では、その左右に３０°程度まで屈曲させることができる。
この排水設備の配管接続構造のその他の構造及び配管接続方法は、床下排水管１の上流側端部を自在継手２２Ｂの第二の回動部２４のソケット口２４ｃに接続して、直管２２Ａの上流側端部を９０°エルボ継手２１の下流側接続口２１ａに接続する以外は、前述した図１〜図４に示す実施形態と同様であるから、同一部材に同一符号を附して説明を省略する。
【００４３】
以上のような排水設備の配管接続構造も、前述した図１〜図４に示す実施形態の排水設備の配管接続構造と同様に、床面１０に穿孔した孔１０ａの位置と９０°エルボ継手の上流側接続口２１ｂの位置がズレていたとしても、屈曲自在な可動部２２を水平方向に屈曲させることで、９０°エルボ継手２１を円周方向に移動させて、孔１０ａの真下に９０°エルボ継手２１の上流側接続口２１ｂを位置させて接続することができ、しかも、屈曲自在な可動部２２は支持台６によって適正な流れ勾配を付与されて支持されているので、逆勾配になってしまうこともない。また、屈曲自在な可動部２２を一旦屈曲させておくと、そのままの状態を維持することができるので、接続作業がより容易となる。
【実施例３】
【００４４】
図７は本発明の更に他の実施形態に係る排水設備の配管接続構造を示す平面図である。
【００４５】
この実施形態の排水設備の配管接続構造は、図７に示すように、固定支持台８によって固定された床下排水管１の上流側端部に、位置調整用の排水管２Ｂを接続したものであり、位置調整用の排水管２Ｂは、前述した実施例１，２と同様に、配管設置面９に固定されない２つの支持台６，６によって適正な流れ勾配（１／１００〜３／１００）を付与されて支持されている。
【００４６】
上記位置調整用の排水管２Ｂは、前述した実施例１と同様の湾曲自在な可撓管２０を、床下排水管１側に１つと床上排水管３側に１つ設けて、その２つの可撓管２０，２０をエルボ継手２５によって屈曲させて接続すると共に、床上排水管３側の可撓管２０の上流側端部を、前述した９０°エルボ継手２１の下流側接続口２１ａに接続したものである。このエルボ継手２５の屈曲角度は、９０°以上になると伸び方向に調整の幅は広がるが、排水性が低下してしまうという不具合が生じるため、エルボ継手２５の屈曲角度は９０°以下が好ましく、特に１０°〜４５°程度が好ましい。
尚、位置調整用の排水管２Ｂの床上排水管３側に接続するのは、前述した直管２２Ａと自在継手２２Ｂからなる屈曲自在な可動部２２であっても構わない。また、可撓管２０，２０同士を接続するのに、エルボ継手２５の代わりに前述した自在継手２２Ｂを用いても構わない。
この排水設備の配管接続構造のその他の構造及び配管接続方法は、前述した実施形態と同様であるから、同一部材に同一符号を附して説明を省略する。
【００４７】
以上のような排水設備の配管接続構造は、位置調整用の排水管２Ｂが初期状態から屈曲しているので、それを直線的（具体的には図７の矢印方向に力を加える）にすることで、床下排水管１の上流側端部から９０°エルボ継手２１までの距離が長くなる。従って、前述した実施例１のように、略円周方向及び縮み方向のみだけに留まらず、伸び方向にも調整することができるようになるので、より調整の幅が広がる。
【実施例４】
【００４８】
図８は本発明の更に他の実施形態に係る排水設備の配管接続構造を示す平面図、図９は同配管接続構造に用いる屈曲自在継手の正面図である。
【００４９】
この実施例４に係る排水設備の配管接続構造は、床下排水管１の上流側端部に、前述した実施例３に用いた位置調整用の排水管２Ｂに代えて、図８に示すように、位置調整用の排水管２Ｃを接続したものである。この位置調整用の排水管２Ｃは、前述した実施例２と同様の直管２２Ａと自在継手２２Ｂからなる屈曲自在な可動部２２を、床下排水管１側に１つと床上排水管３側に１つ設けて、その２つの可動部２２，２２を屈曲自在継手２６によって屈曲させて接続すると共に、床上排水管３側の屈曲自在な可動部２２の直管２２Ａの上流側端部を、９０°エルボ継手２１の下流側接続口２１ａに接続したものである。
【００５０】
上記屈曲自在な可動部２２，２２同士を屈曲させて接続する屈曲自在継手２６は、図９に示すように、前述した実施例２と同様の第一の回動部２３と、その第一の回動部２３の中心軸に対して円筒体２６ｂが１５°の角度で屈曲した第二の回動部２４Ａからなるもので、屈曲自在な可動部２２，２２同士をこのような初期状態から屈曲した継手２６で接続すると、そこから更に左右に３０°程度まで回動させることができるので、より調整の幅が広がる。しかも、この実施形態では、床下排水管１側の可動部２２が固定されていないので、前述した実施例２の場合とは異なり、第一の回動部２３と第二の回動部２４Ａが共に回動して、位置調整の幅が広がる。
尚、床下排水管１側を屈曲自在な可動部２２とし、床上排水管３側を前述した湾曲自在な可動部２０とすることも可能である。
この排水設備の配管接続構造のその他の構造及び配管接続方法は、前述した実施例１〜３と同様であるから、同一部材に同一符号を附して説明を省略する。
【００５１】
以上のような排水設備の配管接続構造も、円周方向に調整できるだけでなく、それに加えて、屈曲自在な可動部２２，２２を連結する屈曲自在継手２６が屈曲することによって、床下排水管１の上流側端部と９０°エルボ継手２１までが、より直線的となるので調整の幅が広い。
【実施例５】
【００５２】
図１０は本発明の更に他の実施形態に係る排水設備の配管接続構造を示す平面図である。
【００５３】
図１０に示す実施形態の排水設備の配管接続構造は、床下排水管１の上流側端部に位置調整用の排水管２Ｄを接続したものである。この位置調整用の排水管２Ｄは、前述した実施例１と同様の可撓管２０を、床下排水管１側に１つと床上排水管３側に１つ設けて、その２つの可撓管２０をエルボ継手２５によって屈曲させて接続するだけでなく、床下排水管１の上流側端部と床下排水管１側に設けられた可撓管２０をもエルボ継手２５によって屈曲させて接続したものである。また、床上排水管３側の可撓管２０の上流側端部は、９０°エルボ継手２１の下流側接続口２１ａに接続されている。このとき、床面１０に床上排水管３を挿通するための孔１０ａの穿孔作業の作業性を向上させるために、９０°エルボ継手２１の上流側接続口２１ｂが、床下排水管１の延長線上に位置することが好ましいので、可撓管２０，２０の長さを略同じとし、且つ、床下排水管１と、床下排水管１側に設けられた可撓管２０を２２．５°の屈曲角度で接続すると共に、床下排水管１側に設けられた湾曲自在な可撓管２０と、床上排水管３側に設けられた湾曲自在な可撓管２０を４５°の屈曲角度で接続している。このようにして床下排水管１と湾曲自在な可撓管２０、及び湾曲自在な可撓管２０，２０同士を接続すると、９０°エルボ継手２１の上流側接続口２１ｂを、床下排水管１の延長線上に位置させることができる。
【００５４】
尚、実施例５の排水設備の配管接続構造では、上記のように、湾曲自在な可撓管２０を２つを用いて位置調整できるようにしているが、前述した屈曲自在な可動部２２を２つ用いることも可能であり、この場合は、屈曲自在継手２６を２つ使用する。屈曲自在継手２６の初期の屈曲角度は１５°であるので、床下排水管１側に設けられた屈曲自在な可動部２２と、床上排水管３側に設けられた屈曲自在な可動部２２を、３０°の角度で屈曲させて接続することで、９０°エルボ継手２１が、床下排水管１の延長線上に位置する。（可動部２２，２２の直管２２Ａ，２２Ａが略同じ長さの場合に限る。）
【００５５】
上記構成の排水設備の配管接続構造は、位置調整用の排水管２Ｄを配設した初期の段階から、床下排水管１と可撓管２０、及び、可撓管２０，２０同士の２箇所を屈曲させて接続することで、より伸び方向の調整幅を広げることができる。
【００５６】
以上、排水設備の配管接続構造の種々の実施形態を詳述してきたが、本発明は上記実施形態に限定されるものではなく、例えば、床下排水管１側に屈曲自在な可動部２２を設け、床上排水管３側に湾曲自在な可動部２０を設けてそれらを屈曲させて接続しても、上記実施形態と同様の作用効果が得られる。
【符号の説明】
【００５７】
１    床下排水管
２，２Ａ，２Ｂ，２Ｃ，２Ｄ  位置調整用の排水管
２０  湾曲自在な可動部（可撓管）
２１  立ち上がり部（９０°エルボ継手）
２１ａ  下流側接続口
２１ｂ  上流側接続口
２２  屈曲自在な可動部
２２Ａ  直管
２２Ｂ  自在継手
２３  第一の回動部
２３ａ  防水パッキン
２３ｂ  防水パッキン
２４  第二の回動部
２４Ａ  屈曲した第二の回動部
２４ａ  湾曲筒部
２４ｂ  円筒体
２４ｃ  ソケット口
２５  エルボ継手
２６  屈曲自在継手
２６ｂ  円筒体
３    床上排水管
４    縦管
５    床上排水管接続用継手
５Ａ  上側部材
５０ａ  受部
５１ａ  雄ネジ
５Ｂ  下側部材
５０ｂ  雌ネジ
５１ｂ  防水パッキン
６    配管設置面に固定されていない支持台
６ａ  半環状の保持部
６ｂ  支持棒
６ｃ  基台部
６ｄ  ナット
７    水平板
８    固定支持台
９    配管設置面
１０  床面
１０ａ  孔
【図１】
2010229633.tif 000003
【図２】
2010229633.tif 000004
【図３】
2010229633.tif 000005
【図４】
2010229633.tif 000006
【図５】
2010229633.tif 000007
【図６】
2010229633.tif 000008
【図７】
2010229633.tif 000009
【図８】
2010229633.tif 000010
【図９】
2010229633.tif 000011
【図１０】
2010229633.tif 000012